【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
第１端部、第２端部、及び、前記第１端部と前記第２端部との間にねじれ部分、を有する光ファイバであって、前記ねじれ部分は前記光ファイバに２つの直交する横方向の曲げ自由度を供させることを可能にし、前記ねじれ部分は光学歪みを有し、前記ねじれ部分の第１点における前記ねじれ部分の断面の前記光ファイバの幅の寸法は、前記ねじれ部分の第２点における前記ねじれ部分の断面の前記光ファイバの幅の寸法に対して実質的に直交する、光ファイバ；
前記ねじれ部分から生じる前記光学歪みを少なくとも部分的に補償するように構成される歪み補償装置であって、前記歪み補償装置は、（ｉ）レーザービームをコリメートして、前記レーザービームを前記ねじれ部分へ案内するように構成される少なくとも１つの第１シリンドリカルレンズ、及び、（ｉｉ）前記第２端部へ向かう遅い軸方向においてビームエネルギーを収束させるように構成される少なくとも１つの第２シリンドリカルレンズを有する、歪み補償装置；並びに、
前記ねじれ部分を含む前記光ファイバの少なくとも一部を格納するように構成される筐体、
を有する光ファイバモジュール。
【請求項２】
前記第１端部が、動作するように入力ファイバへ接続するように構成され、かつ、
前記第２端部は、動作するように出力ファイバへ接続するように構成される、
請求項１に記載の光ファイバモジュール。
【請求項３】
前記少なくとも１つの第１シリンドリカルレンズ及び前記少なくとも１つの第２シリンドリカルレンズは、前記第１端部と前記ねじれ部分との間に設けられる、請求項２に記載の光ファイバモジュール。
【請求項４】
前記歪み補償装置は、前記遅い軸方向の前記レーザービームを前記出力ファイバへ結像するように構成される少なくとも１つの第３シリンドリカルレンズをさらに有する、請求項３記載の光ファイバモジュール。
【請求項５】
前記歪み補償装置は、速い軸方向の前記レーザービームをコリメートして、前記レーザービームを前記出力ファイバへ案内するように構成される少なくとも１つの第４シリンドリカルレンズをさらに有する、請求項４記載の光ファイバモジュール。
【請求項６】
前記光学歪みが偏光状態の歪みとして現れ、かつ、
前記歪み補償装置は、前記ねじれ部分から生じる偏光歪みを補償するように構成される少なくとも１つの偏光部材をさらに有する、
請求項１に記載の光ファイバモジュール。
【請求項７】
前記少なくとも１つの偏光部材が波長板を含む、請求項６に記載の光ファイバモジュール。
【請求項８】
前記筐体が密閉封止された筐体である、請求項１に記載の光ファイバモジュール。
【請求項９】
前記ねじれ部分が９０°のねじれを有する、請求項１に記載の光ファイバモジュール。
【請求項１０】
前記光学歪みが負のレンズ効果によって供される、請求項１に記載の光ファイバモジュール。
【請求項１１】
前記歪み補償装置が、前記負のレンズ効果のパワーとは反対で、かつ、実質的に等しいレンズパワーを有する正のレンズ効果を有する、請求項１０に記載の光ファイバモジュール。
【請求項１２】
前記光ファイバがコアを有し、かつ、
前記正のレンズ効果は、前記コアの内部に遅い軸の屈折率変化を生成することによって発生する、
請求項１１に記載の光ファイバモジュール。
【請求項１３】
前記光ファイバがコアを有し、かつ、
前記正のレンズ効果は、前記遅い軸方向に沿って前記コアの厚さのプロファイルを、中間部では前記コアを厚くして、前記コアの端部付近では狭くするように形成することによって発生する、請求項１１に記載の光ファイバモジュール。
【請求項１４】
前記ねじれ部分の長さを調節するように構成される端部マウント装置をさらに有する、請求項１に記載の光ファイバモジュール。
【請求項１５】
前記端部マウント装置が、前記ねじれ部分の長さを調節するように、互いにスライド可能に構成される２つの端部マウントを有する、請求項１４に記載の光ファイバモジュール。
【請求項１６】
前記端部マウントが、前記ねじれ部分の長さを固定するように互いに固定されて構築及び配置される、請求項１５に記載の光ファイバモジュール。
【請求項１７】
前記端部マウントが、前記ねじれ部分の長さを固定するように前記筐体に結合される、請求項１６に記載の光ファイバモジュール。
【請求項１８】
前記光ファイバモジュールは、各々が選ばれた長さを有する複数の部分に分割される、請求項１に記載の光ファイバモジュール。
【請求項１９】
前記複数の部分のうちの少なくとも１つが、前記光ファイバのねじれ部分を含む、請求項１８に記載の光ファイバモジュール。
【請求項２０】
前記複数の部分のうちの２つは、各々が４５°のねじれを有するねじれ部分を含み、その結果合計で９０°のねじれを供する、請求項１９に記載の光ファイバモジュール。
【請求項２１】
前記ねじれ部分の長さを調節するように構成される端部マウント装置をさらに有する、請求項２０に記載の光ファイバモジュール。
【請求項２２】
前記端部マウント装置が、前記ねじれ部分の長さを調節するように、互いにスライド可能に構成される２つの端部マウントを有する、請求項２１に記載の光ファイバモジュール。
【請求項２３】
前記端部マウントが、前記ねじれ部分の長さを固定するように互いに固定されて構築及び配置される、請求項２２に記載の光ファイバモジュール。
【請求項２４】
前記複数の部分の各々が、ねじられ、かつ、ねじれ部分を有し、
前記複数の部分の各々の各ねじれ部分は、前記複数の部分でのねじれの合計が９０°に等しくなるようなねじれの大きさを有する、
請求項１９に記載の光ファイバモジュール。
【請求項２５】
前記複数の部分のうちの少なくとも１つにおいて前記ねじれ部分の長さを調節するように構成される端部マウント装置をさらに有する、請求項２４に記載の光ファイバモジュール。
【請求項２６】
前記端部マウント装置が、前記複数の部分のうちの前記少なくとも１つにおいて前記ねじれ部分の長さを調節するように、互いにスライド可能に構成される２つの端部マウントを有する、請求項２５に記載の光ファイバモジュール。
【請求項２７】
前記端部マウントが、前記複数の部分のうちの前記少なくとも１つにおいて前記ねじれ部分の長さを固定するように互いに固定されて構築及び配置される、請求項２６に記載の光ファイバモジュール。
【請求項２８】
２つの直交する横方向の曲げ自由度を供する長方形コアのレーザービーム供給ファイバを実装する方法であって：
第１端部、第２端部、及びコアを有する光ファイバを供する段階；
前記第１端部と前記第２端部との間で前記光ファイバの少なくとも一部をねじる段階であって、前記ねじれ部分の第１点における前記ねじれ部分の断面の前記光ファイバの幅の寸法は、前記ねじれ部分の第２点における前記ねじれ部分の断面の前記光ファイバの幅の寸法に対して実質的に直交する、段階；並びに、
（ｉ）レーザービームをコリメートして、前記レーザービームを前記ねじれ部分へ案内するように構成される少なくとも１つの第１シリンドリカルレンズ、及び、（ｉｉ）前記第２端部へ向かう遅い軸方向においてビームエネルギーを収束させるように構成される少なくとも１つの第２シリンドリカルレンズを有する歪み補償装置を供することによって、前記ねじれ部分から生じる光学歪みを補償する段階、
を有する方法。
【請求項２９】
前記ねじれ部分の長さを調節することによって前記補償を微調整する段階をさらに有する、請求項２８に記載の方法。
【請求項３０】
前記光学歪みが負のレンズ効果で、かつ、
前記負のレンズ効果を補償する段階は、前記遅い軸方向に沿って前記コアの厚さのプロファイルを、中間部では前記コアを厚くして、前記コアの端部付近では狭くするように形成する段階を含む、
請求項２８に記載の方法。
【請求項３１】
前記光学歪みが負のレンズ効果で、かつ、
前記負のレンズ効果を補償する段階は、前記コアの内部に遅い軸の屈折率変化を生成する段階を含む、
請求項２８に記載の方法。
【請求項３２】
前記光学歪みを補償する段階は、前記遅い軸方向の前記レーザービームを出力ファイバへ結像するように構成される少なくとも１つの第３シリンドリカルレンズを供する段階をさらに有する、
請求項２８に記載の方法。
【請求項３３】
前記歪みが偏光状態の歪みとして現れ、かつ、
補償装置は、前記ねじれ部分から生じる偏光歪みを補償するように構成される少なくとも１つの偏光部材を有する、
請求項２８に記載の方法。
【請求項３４】
前記少なくとも１つの偏光部材が波長板を含む、請求項３３に記載の方法。
【請求項３５】
第１ポリマー層と第２ポリマー層、
前記第１ポリマー層と前記第２ポリマー層との間に配置された光ファイバ、
を有する光ファイバ装置であって、
前記光ファイバは、速い軸方向における前記光ファイバの曲がりが許容され、かつ、前記光ファイバのねじれが防止されるように、前記第１ポリマー層と前記第２ポリマー層との間に配置される、
光ファイバ装置。
【請求項３６】
ビームディレクタの回転部に接続されるように構築及び配置される第１端部と前記回転部に対して同心円の静止部に接続されるように構築及び配置される第２端部をさらに有し、
前記光ファイバは、前記回転部から前記静止部への遷移中に前記速い軸方向において曲がる、請求項３５に記載の光ファイバ装置。
【請求項３７】
前記光ファイバに対して平行に配置される少なくとも１つの他の光ファイバをさらに有し、
前記少なくとも１つの他の光ファイバと前記光ファイバは、前記第１ポリマー層と前記第２ポリマー層との間に配置される、請求項３５に記載の光ファイバ装置。
【請求項３８】
前記ポリマー層がポリイミドを有する、請求項３５に記載の光ファイバ装置。
【請求項３９】
第１端部と第２端部を有する光ファイバを含む光ファイバ装置であって、
前記第１端部は、ビームディレクタの回転部に接続されるように構築及び配置され、
前記第２端部は、前記回転部に対して同心円の静止部に接続されるように構築及び配置され、かつ、
前記光ファイバは、前記回転部から前記静止部へ遷移する間、速い軸方向において曲がる、
光ファイバ装置。
【請求項４０】
第１ポリマー層と第２ポリマー層をさらに有し、
前記光ファイバは、前記速い軸方向における前記光ファイバの曲がりが許容され、かつ、前記光ファイバのねじれが防止されるように、前記第１ポリマー層と前記第２ポリマー層との間に配置される、請求項３９に記載の光ファイバ装置。